(57)【要約】【課題】不正な料金決済を防止できるようにする。【解決手段】路側機から料金決済の実施確認コマンドを受信すると、携帯端末から当該携帯端末に登録されたカード識別情報を取得し、カード挿入口に挿入されている決済カードのカード識別情報を取得し、携帯端末より取得したカード識別情報とカード挿入口に挿入されている決済カードのカード識別情報の一致判定を行い（Ｓ３０８）、カード識別情報が一致すると判定された場合、料金決済のための処理を実施し（Ｓ３１２）、カード識別情報が一致しないと判定された場合、料金決済のための処理を禁止する。【選択図】図５
2013025512.tif 000002
【特許請求の範囲】
【請求項１】
路側機と狭域通信を行う無線部と、決済カードを挿入するカード挿入口と、を有し、前記路側機との通信を介して前記決済カードによる料金決済のための処理を実施する狭域通信車載器であって、
携帯端末と通信接続するための携帯端末接続部を備え、
前記路側機から前記カード挿入口に挿入された前記決済カードによる料金決済の実施確認コマンドを受信すると、前記携帯端末接続部を介して接続された前記携帯端末から当該携帯端末に登録されたカード識別情報を取得するとともに、前記カード挿入口に挿入されている前記決済カードのカード識別情報を取得し、前記携帯端末より取得した前記カード識別情報と前記カード挿入口に挿入されている前記決済カードの前記カード識別情報の一致判定を行うカード識別情報判定手段と、
前記カード識別情報判定手段により前記カード識別情報が一致すると判定された場合、前記決済カードによる料金決済のための処理を実施し、前記カード識別情報判定手段により前記カード識別情報が一致しないと判定された場合、前記決済カードによる料金決済のための処理を禁止する料金決済処理手段と、を備えたことを特徴とする狭域通信車載器。
【請求項２】
前記カード識別情報判定手段により前記カード識別情報が一致しないと判定された場合、前記携帯端末接続部を介して前記カード識別情報が一致しない旨を前記携帯端末に通知する携帯端末通知手段を備えたことを特徴とする請求項１に記載の狭域通信車載器。
【請求項３】
前記料金決済処理手段により前記決済カードによる料金決済のための処理が禁止された場合、前記無線部を介して前記路側機へ前記決済カードによる料金決済のための処理が未実施である旨を通知する路側機通知手段を備えたことを特徴とする請求項１または２に記載の狭域通信車載器。
【請求項４】
前記カード挿入口に前記決済カードが挿入された状態であるか否かを判定する決済カード挿入判定手段を備え、
前記カード識別情報判定手段は、前記決済カード挿入判定手段により前記カード挿入口に前記決済カードが挿入された状態であると判定された場合、前記携帯端末より取得した前記カード識別情報と前記カード挿入口に挿入されている前記決済カードの前記カード識別情報の一致判定を行うことを特徴とする請求項１ないし３のいずれか１つに記載の狭域通信車載器。
【請求項５】
前記携帯端末接続部を介して前記携帯端末と接続された状態であるか否かを判定する接続状態判定手段を備え、
前記カード識別情報判定手段は、前記決済カード挿入判定手段により前記カード挿入口に前記決済カードが挿入された状態であると判定され、かつ、前記接続状態判定手段により前記携帯端末接続部を介して前記携帯端末と接続された状態であると判定された場合、前記携帯端末より取得した前記カード識別情報と前記カード挿入口に挿入されている前記決済カードの前記カード識別情報の一致判定を行うことを特徴とする請求項１ないし４のいずれか１つに記載の狭域通信車載器。
【請求項６】
前記カード識別情報は、前記決済カードに固有に付与されたカード番号であることを特徴とする請求項１ないし５のいずれか１つに記載の狭域通信車載器。
【請求項７】
前記決済カードはクレジットカードであり、
前記カード識別情報は、前記クレジットカードのクレジットカード番号および有効期限情報であることを特徴とする請求項１ないし５のいずれか１つに記載の狭域通信車載器。
【発明の詳細な説明】
【技術分野】
【０００１】
本発明は、路側機と狭域通信を行う無線部と、決済カードを挿入するカード挿入口を有し、路側機との通信を介して決済カードによる料金決済のための処理を実施する狭域通信車載器に関するものである。
【背景技術】
【０００２】
従来、ＤＳＲＣ（狭域通信）車載器とナビゲーション装置を接続して、サービスエリアやドライブイン等に設置された路側機とＤＳＲＣ通信を行うことで有料道路の料金決済、ＶＩＣＳ情報の受信、クレジットカード決済等の様々なＩＴＳスポットサービスを提供するシステムが実用化されている。
【０００３】
このようなシステムでは、クレジットカード決済を行う場合、ユーザの意に反した決済処理が行われることのないように、ユーザの許可を得る必要がある。このため、例えば、予めＤＳＲＣ車載器にクレジットカードを挿入しておき、路側機からのカード決済確認コマンドの送信に応じて、ナビゲーション装置の表示画面に「カード決済を行いますか？（はい／いいえ）」といった決済許可の確認画面を表示させ、この確認画面に従ってユーザにより「はい」が選択されると、路側機とＤＳＲＣ車載器との間でクレジットカード決済のための処理が行われるようになっている。
【０００４】
また、ナビゲーション装置に代えてスマートフォン等の携帯端末をＤＳＲＣ車載器と無線接続し、携帯端末をＨＭＩ（ヒューマンマシンインタフェース）としてユーザの許可を確認するようにして、各種サービスを提供するシステムも提案されている（例えば、特許文献１参照）。
【先行技術文献】
【特許文献】
【０００５】
【特許文献１】特開２０１０−１６５１２２号公報
【発明の概要】
【発明が解決しようとする課題】
【０００６】
しかし、上記特許文献１に記載されたようなシステムでは、ＤＳＲＣ車載器と携帯端末との通信が無線で行われるようになっているため、車外にいる第三者が所有する携帯端末と通信接続され、車外にいる第三者の操作によって不正にクレジットカード決済が許可され、カード決済が実施されてしまう可能性がある。
【０００７】
そこで、携帯端末とＤＳＲＣ車載器との通信を暗号化して秘匿性を向上させることも考えられるが、暗号化の設定を忘れてしまうと不正なカード決済サービスが実施されてしまう。
【０００８】
本発明は上記問題に鑑みたもので、不正な料金決済を防止できるようにすることを目的とする。
【課題を解決するための手段】
【０００９】
上記目的を達成するため、請求項１に記載の発明は、路側機と狭域通信を行う無線部と、決済カードを挿入するカード挿入口と、を有し、路側機との通信を介して決済カードによる料金決済のための処理を実施する狭域通信車載器であって、携帯端末と通信接続するための携帯端末接続部を備え、路側機からカード挿入口に挿入された決済カードによる料金決済の実施確認コマンドを受信すると、携帯端末接続部を介して接続された携帯端末から当該携帯端末に登録されたカード識別情報を取得するとともに、カード挿入口に挿入されている決済カードのカード識別情報を取得し、携帯端末より取得したカード識別情報とカード挿入口に挿入されている決済カードのカード識別情報の一致判定を行うカード識別情報判定手段と、カード識別情報判定手段によりカード識別情報が一致すると判定された場合、決済カードによる料金決済のための処理を実施し、カード識別情報判定手段によりカード識別情報が一致しないと判定された場合、決済カードによる料金決済のための処理を禁止する料金決済処理手段と、を備えたことを特徴としている。
【００１０】
このような構成によれば、路側機からカード挿入口に挿入された決済カードによる料金決済の実施確認コマンドを受信すると、携帯端末接続部を介して接続された携帯端末から当該携帯端末に登録されたカード識別情報を取得するとともに、カード挿入口に挿入されている決済カードのカード識別情報を取得し、携帯端末より取得したカード識別情報とカード挿入口に挿入されている決済カードのカード識別情報の一致判定を行い、カード識別情報が一致すると判定された場合、決済カードによる料金決済のための処理を実施し、カード識別情報が一致しないと判定された場合、決済カードによる料金決済のための処理が禁止されるので、不正な料金決済を防止することができる。
【００１１】
また、請求項２に記載の発明は、カード識別情報判定手段によりカード識別情報が一致しないと判定された場合、携帯端末接続部を介してカード識別情報が一致しない旨を携帯端末に通知する携帯端末通知手段を備えたことを特徴としている。
【００１２】
このような構成によれば、カード識別情報判定手段によりカード識別情報が一致しないと判定された場合、携帯端末接続部を介してカード識別情報が一致しない旨が携帯端末に通知されるので、携帯端末にカード識別情報が一致しない旨を表示させてユーザに通知することが可能である。
【００１３】
また、請求項３に記載の発明は、決済カードによる料金決済のための処理が禁止された場合、無線部を介して路側機へ決済カードによる料金決済のための処理が未実施である旨を通知する路側機通知手段を備えたことを特徴としている。
【００１４】
このように、決済カードによる料金決済のための処理が禁止された場合、無線部を介して路側機へ決済カードによる料金決済のための処理が未実施である旨を通知することができる。
【００１５】
また、請求項４に記載の発明は、カード挿入口に決済カードが挿入された状態であるか否かを判定する決済カード挿入判定手段を備え、カード識別情報判定手段は、決済カード挿入判定手段によりカード挿入口に決済カードが挿入された状態であると判定された場合、携帯端末より取得したカード識別情報とカード挿入口に挿入されている決済カードのカード識別情報の一致判定を行うことを特徴としている。
【００１６】
このように、カード挿入口に決済カードが挿入された状態であると判定された場合、携帯端末より取得したカード識別情報とカード挿入口に挿入されている決済カードのカード識別情報の一致判定が行われるので、カード挿入口に挿入された決済カードが別の決済カードに入れ替えられても、携帯端末より取得したカード識別情報とカード挿入口に挿入されている決済カードのカード識別情報の一致判定を行うことができる。
【００１７】
また、請求項５に記載の発明は、携帯端末接続部を介して携帯端末と接続された状態であるか否かを判定する接続状態判定手段を備え、カード識別情報判定手段は、決済カード挿入判定手段によりカード挿入口に決済カードが挿入された状態であると判定され、かつ、接続状態判定手段により携帯端末接続部を介して携帯端末と接続された状態であると判定された場合、携帯端末より取得したカード識別情報とカード挿入口に挿入されている決済カードのカード識別情報の一致判定を行うことを特徴としている。
【００１８】
このような構成によれば、カード挿入口に決済カードが挿入された状態であると判定され、かつ、携帯端末接続部を介して携帯端末と接続された状態であると判定された場合、携帯端末より取得したカード識別情報とカード挿入口に挿入されている決済カードのカード識別情報の一致判定が行われるので、精度良くカード識別情報の一致判定を行うことができる。
【００１９】
なお、請求項６に記載の発明のように、カード識別情報は、決済カードに固有に付与されたカード番号とすることができる。
【００２０】
また、請求項７に記載の発明のように、決済カードはクレジットカードであり、カード識別情報は、クレジットカードのクレジットカード番号および有効期限情報とすることもできる。
【図面の簡単な説明】
【００２１】
【図１】ＤＳＲＣ車載器の全体構成を示す図である。
【図２】ＤＳＲＣ車載器の制御部のフローチャートである。
【図３】携帯端末の制御部のフローチャートである。
【図４】携帯端末の表示部の表示例を示す図である。
【図５】ＤＳＲＣ車載器の制御部のフローチャートである。
【図６】携帯端末の制御部のフローチャートである。
【図７】路側機とＤＳＲＣ車載器と携帯端末間のシーケンス図である。
【発明を実施するための形態】
【００２２】
本発明の一実施形態に係る狭域通信車載器（ＤＳＲＣ車載器）の全体構成を図１に示す。本ＤＳＲＣ車載器１は、有料道路の料金所等に設置された路側機２との間で、２．４ギガヘルツ（ＧＨｚ）帯の電波を利用した狭域通信（ＤＳＲＣ通信）を行って有料道路の料金決済を実施するＥＴＣ（ＥＴＣは登録商標）車載器としての機能と、サービスエリアやドライブイン等に設置された路側機２との間で、５．８ギガヘルツ（ＧＨｚ）帯の電波を利用したＤＳＲＣ通信を行うことで、ＶＩＣＳ情報の受信、クレジットカード決済等のＩＴＳスポットサービスの提供を行うＩＴＳスポットサービス提供装置としての機能を兼ね備えている。
【００２３】
ＤＳＲＣ車載器１は、無線部１０、音声出力部１１、外部機器接続部１２、カード情報読取部１３、表示部１４、入力操作部１５および制御部１６を備えている。
【００２４】
無線部１０は、２．４ギガヘルツ（ＧＨｚ）帯の電波を送受信する送受信アンテナと、５．８ギガヘルツ（ＧＨｚ）帯の電波を送受信する送受信アンテナを有しており、有料道路の料金所等に設置された路側機２との間でＤＳＲＣ通信を行うとともにサービスエリアやドライブイン等に設置された路側機２との間でＤＳＲＣ通信を行う。
【００２５】
音声出力部１１は、制御部１６より入力される音声信号に応じた音声を出力するものである。
【００２６】
外部機器接続部１２は、携帯端末３と直接通信するためのものである。本実施形態における外部機器接続部１２は、携帯端末３との間で無線ＬＡＮによる通信を行うようになっている。
【００２７】
カード情報読取部１３は、カード挿入口に挿入された決済カードに記憶されたカード情報の読み取りを行う。本ＤＳＲＣ車載器１は、ＥＴＣカードを挿入するためのＥＴＣカード用カード挿入口と、クレジットカードを挿入するためのクレジットカード用カード挿入口を有している。カード情報読取部１３は、ＥＴＣカード用カード挿入口に挿入されたＥＴＣカードのカード情報の読み取りと、クレジットカード用カード挿入口に挿入されたクレジットカードのカード情報の読み取りを独立して行うことが可能となっている。なお、ＥＴＣカードおよびクレジットカードのカード情報には、それぞれ契約者名、カード識別番号、有効期限等の情報が含まれる。
【００２８】
表示部１４は、緑色ＬＥＤ、赤色ＬＥＤ等を有しており、制御部１６からの制御信号に応じて各ＬＥＤを点灯または消灯させる。
【００２９】
入力操作部１５は、カード挿入口に挿入したカードを取り出すためのイジェクトスイッチ、利用履歴の音声案内を指示するための案内スイッチ等、複数のメカニカルスイッチを有しており、ユーザのスイッチ操作に応じた信号が制御部１６へ出力されるようになっている。
【００３０】
制御部１６は、ＣＰＵ、ＲＡＭ、ＲＯＭ、Ｉ／Ｏ等を備えたコンピュータとして構成されており、ＣＰＵはＲＯＭに記憶されたプログラムに従って各種処理を実施する。
【００３１】
制御部１６の処理としては、有料道路の料金所等に設置された路側機２との間でＤＳＲＣ通信を行い、有料道路の料金決済を実施するＥＴＣ決済処理、サービスエリアやドライブイン等に設置された路側機２との間でＤＳＲＣ通信を行い、クレジットカード決済を行うカード決済処理等がある。
【００３２】
路側機２は、有料道路の料金所、サービスエリアやドライブイン等に設置されている。路側機２は、無線部２０および制御部２１を備えている。
【００３３】
無線部２０は、２．４ギガヘルツ（ＧＨｚ）帯の電波を送受信する送受信アンテナと、５．８ギガヘルツ（ＧＨｚ）帯の電波を送受信する送受信アンテナを有しており、各車両に搭載されたＤＳＲＣ車載器１とＤＳＲＣ通信を行う。
【００３４】
制御部２１は、情報センタのサーバ（図示せず）と通信接続されている。制御部２１は、各車両に搭載されたＤＳＲＣ車載器１とＤＳＲＣ通信により、有料道路の料金決済、ＶＩＣＳ情報の配信、クレジットカード決済等のＩＴＳスポットサービスの提供を行う。
【００３５】
携帯端末３は、携帯電話機能と携帯端末（ＰＤＡ）機能を搭載した、所謂スマートフォンとして構成されている。携帯端末３は、表示部３０、入力操作部３１、外部機器接続部３２および制御部３３を備えている。
【００３６】
表示部３０は、液晶等のディスプレイを有し、制御部３３より入力される映像信号に応じた映像をディスプレイに表示させる。
【００３７】
入力操作部３１は、ディスプレイの前面に重ねて設けられたタッチスイッチ、ディスプレイの周囲に設けられたメカニカルスイッチを有し、ユーザのスイッチ操作に応じた信号を制御部３３へ出力する。
【００３８】
外部機器接続部３２は、通話、パケット通信、無線ＬＡＮによる通信を行う通信モジュールとして構成されている。
【００３９】
制御部３３は、ＣＰＵ、ＲＡＭ、ＲＯＭ、Ｉ／Ｏ等を備えたコンピュータとして構成されており、ＣＰＵはＲＯＭに記憶されたプログラムに従って各種処理を実施する。
【００４０】
制御部３３の処理としては、各種通信のための処理、メモリに記憶された各種アプリケーションの実行処理等がある。
【００４１】
本ＤＳＲＣ車載器１は、路側機２との通信を介してクレジットカードによる料金決済のための処理を実施する。また、本ＤＳＲＣ車載器１は、この料金決済のための処理において、携帯端末３をＨＭＩ（ヒューマンマシンインタフェース）としてユーザの許可を確認するようになっている。
【００４２】
以下、路側機２との通信を介してクレジットカードによる料金決済のための処理を実施する処理について説明する。
【００４３】
図２に、ＤＳＲＣ車載器１の制御部１６のフローチャートを示す。制御部１６は、車両のイグニッションスイッチがオン状態になると、定期的に図２に示す処理を実施する。
【００４４】
まず、クレジットカードがクレジットカード用カード挿入口に挿入され、かつ、外部機器接続部１２を介して携帯端末３と無線接続状態となっているか否かを判定する（Ｓ１００）。
【００４５】
クレジットカードがクレジットカード用カード挿入口に挿入されていない場合、あるいは、外部機器接続部１２を介して携帯端末３と無線接続状態となっていない場合、Ｓ１００の判定はＮＯとなり、Ｓ１００の判定を繰り返す。そして、クレジットカードがクレジットカード用カード挿入口に挿入され、かつ、外部機器接続部１２を介して携帯端末３と無線接続状態となると、Ｓ１００の判定はＹＥＳとなり、次に、カード決済実施有無確認コマンドを路側機２から受信したか否かを判定する（Ｓ１０２）。
【００４６】
ここで、カード決済実施有無確認コマンドが路側機２から受信されない場合、Ｓ１０２の判定はＮＯとなり、Ｓ１０２の判定を繰り返し実施する。そして、車両が路側機２との通信可能領域に進入し、路側機２から無線部１０を介してカード決済実施有無確認コマンドが受信すると、Ｓ１０２の判定はＹＥＳとなり、次に、外部機器接続部１２を介してカード決済実施有無確認コマンドを携帯端末３へ中継する（Ｓ１０４）。具体的には、ＤＳＲＣ車載器１から携帯端末３へ無線ＬＡＮを介してカード決済実施有無確認コマンドが中継される。
【００４７】
図３に、携帯端末３の制御部３３のフローチャートを示す。制御部３３は、電源がオン状態になると、定期的に図３に示す処理を実施する。なお、本実施形態において、ユーザはＤＳＲＣ車載器１のクレジットカード決済機能を利用する場合、事前にそのクレジットカードに固有に付与されたカードＩＤ（本実施形態では、クレジットカード番号）を携帯端末３に登録するようになっている。ここでは、ユーザによるカードＩＤの登録作業が行われ、カードＩＤが携帯端末３のメモリに記憶されているものとする。
【００４８】
まず、外部機器接続部３１を介して外部機器と無線接続状態となっているか否かを判定する（Ｓ２００）。
【００４９】
ここで、外部機器接続部３１を介して外部機器と無線接続状態となっていない場合、Ｓ２００の判定はＮＯとなり、Ｓ２００の判定を繰り返し実施する。そして、外部機器接続部３１を介してＤＳＲＣ車載器１と無線接続状態になると、Ｓ２００の判定はＹＥＳとなり、次に、カード決済実施有無確認コマンドをＤＳＲＣ車載器１から受信したか否かを判定する（Ｓ２０２）。
【００５０】
ここで、ＤＳＲＣ車載器１からカード決済実施有無確認コマンドが中継されていない場合、Ｓ２０２の判定はＮＯとなり、Ｓ２０２の判定を繰り返し実施する。そして、ＤＳＲＣ車載器１から中継されたカード決済実施有無確認コマンドを受信すると、Ｓ２０２の判定はＹＥＳとなり、次に、表示部３０に確認画面を表示させる（Ｓ２０４）。具体的には、図４に示すように、「カード決済を実施しますか」というメッセージとともに「はい」または「いいえ」の選択を促す画面を表示させる。
【００５１】
次に、ユーザにより「はい」または「いいえ」のいずれかの選択が完了したか否かを判定する（Ｓ２０６）。
【００５２】
ここで、ユーザにより「はい」または「いいえ」のいずれかの選択が完了していない場合、Ｓ２０６の判定はＮＯとなり、Ｓ２０６の判定を繰り返し実施する。そして、ユーザにより「はい」または「いいえ」のいずれかが選択されると、Ｓ２０６の判定はＹＥＳとなり、次に、確認応答コマンドおよびカードＩＤ（クレジットカード番号）をＤＳＲＣ車載器１に送信（Ｓ２０８）。なお、確認応答コマンドには、ユーザにより選択された許可結果（「はい」または「いいえ」）を表す情報が含まれる。
【００５３】
図５に、ＤＳＲＣ車載器１の制御部１６のフローチャートを示す。制御部１６は、車両のイグニッションスイッチがオン状態になると、図２に示した処理と並行して図５に示す処理を定期的に実施する。
【００５４】
まず、クレジットカードがクレジットカード用カード挿入口に挿入され、かつ、外部機器接続部１２を介して携帯端末３と無線接続状態となっているか否かを判定する（Ｓ３００）。
【００５５】
クレジットカードがクレジットカード用カード挿入口に挿入されていない場合、あるいは、外部機器接続部１２を介して携帯端末３と無線接続状態となっていない場合、Ｓ３００の判定はＮＯとなり、Ｓ３００の判定を繰り返す。そして、クレジットカードがクレジットカード用カード挿入口に挿入され、かつ、外部機器接続部１２を介して携帯端末３と無線接続状態となると、Ｓ３００の判定はＹＥＳとなり、次に、確認応答コマンドおよびカードＩＤを携帯端末３から受信したか否かを判定する（Ｓ３０２）。
【００５６】
ここで、確認応答コマンドおよびカードＩＤが受信されない場合、Ｓ３０２の判定はＮＯとなり、Ｓ３０２の判定を繰り返し実施する。そして、携帯端末３から確認応答コマンドおよびカードＩＤ（クレジットカード番号）が送信され、これらの情報が受信されると、Ｓ３０２の判定はＹＥＳとなり、次に、ユーザによるカード決済の操作が決済許可であるか否かを判定する（Ｓ３０４）。具体的には、確認応答コマンドに含まれる許可結果（「はい」または「いいえ」）を表す情報に基づいてユーザの選択操作が決済許可であるか否かを判定する。
【００５７】
ここで、許可結果が決済許可となっている場合、Ｓ３０４の判定はＹＥＳとなり、次に、受信したカードＩＤ（クレジットカード番号）とクレジットカード用カード挿入口に挿入されているクレジットカードのカードＩＤ（クレジットカード番号）を照合する（Ｓ３０６）。具体的には、カード情報読取部１３を介してクレジットカード用カード挿入口に挿入されているクレジットカードのクレジットカード番号を取得し、携帯端末３より受信したクレジットカード番号とクレジットカード用カード挿入口に挿入されているクレジットカードのクレジットカード番号の照合を行う。
【００５８】
次に、携帯端末３より受信したクレジットカード番号とクレジットカード用カード挿入口に挿入されているクレジットカードのクレジットカード番号の一致判定を行う（Ｓ３０８）。
【００５９】
ここで、携帯端末３より受信したクレジットカード番号とクレジットカード用カード挿入口に挿入されているクレジットカードのクレジットカード番号が一致した場合、確認応答コマンドを路側機２へ送信する（Ｓ３１０）。
【００６０】
次に、路側機２との間でカード決済処理を実施し（Ｓ３１２）、本処理を終了する。
【００６１】
また、携帯端末３より受信したクレジットカード番号とクレジットカード用カード挿入口に挿入されているクレジットカードのクレジットカード番号が一致しない場合、Ｓ３０８の判定はＮＯとなり、次に、確認応答コマンドを破棄し、破棄した旨を携帯端末３に通知する（Ｓ３１４）。具体的には、クレジットカード番号が一致しない旨を携帯端末３に通知する。
【００６２】
次に、否定応答コマンドを路側機２に送信し（Ｓ３１６）、カード決済処理を実施することなく、本処理を終了する。このように、携帯端末３より受信したクレジットカード番号とクレジットカード用カード挿入口に挿入されているクレジットカードのクレジットカード番号が一致しない場合、カード決済処理が禁止される。したがって、仮に、外部機器接続部１２を介して第三者の携帯端末３と無線接続状態となっていても、第三者の携帯端末３の操作によりカード決済処理が実施されることはない。
【００６３】
また、ユーザが携帯端末３の操作で、「カード決済を実施しますか」というメッセージに対して「いいえ」を選択し、携帯端末３から受信した確認応答コマンドに含まれる許可結果が決済不許可となっている場合、Ｓ３０４の判定はＮＯとなり、クレジットカード番号の照合を行うことなく、確認応答コマンドを路側機２へ転送し（Ｓ３１８）、本処理を終了する。
【００６４】
なお、図２、図５に示した処理において、ＤＳＲＣ車載器１は、Ｓ１０４にてカード決済実施有無確認コマンドを携帯端末３へ送信し、このカード決済実施有無確認コマンドに応答するように携帯端末３から送信される確認応答コマンドおよびカードＩＤ（クレジットカード番号）を受信する。これは、ＤＳＲＣ車載器１が、携帯端末３から当該携帯端末３に登録されたカード識別情報を取得するとみなすことができる。
【００６５】
図６に、携帯端末３の制御部３３のフローチャートを示す。制御部３３は、電源がオン状態になると、図３に示した処理と並行して定期的に図３に示す処理を実施する。
【００６６】
まず、コマンド破棄通知をＤＳＲＣ車載器１から受信したか否かを判定する（Ｓ４００）。コマンド破棄通知をＤＳＲＣ車載器１から受信していない場合、Ｓ４００の判定はＮＯとなり、Ｓ４００の判定を繰り返し実施する。
【００６７】
そして、ＤＳＲＣ車載器１のクレジットカード番号の一致判定でクレジットカード番号が不一致と判定され、コマンド破棄通知をＤＳＲＣ車載器１から受信すると、「カードＩＤが一致しません」というメッセージを表示部３０に表示させ（Ｓ４０２）、本処理を終了する。
【００６８】
図７に、路側機２とＤＳＲＣ車載器１と携帯端末３間のシーケンス図を示す。この図に示すように、路側機２からＤＳＲＣ車載器１へカード決済実施有無確認コマンドが送信されると、ＤＳＲＣ車載器１は、このカード決済実施有無確認コマンドを携帯端末３へ中継する。
【００６９】
携帯端末３は、このカード決済実施有無確認コマンドを受信すると、図４に示したように、「カード決済を実施しますか」というメッセージとともに「はい」または「いいえ」の選択を促す画面を表示させる。
【００７０】
そして、ユーザにより「はい」が選択操作されると、決済許可であることを示す情報を含む確認応答コマンドとともにカードＩＤ（クレジットカード番号）が携帯端末３からＤＳＲＣ車載器１へ送信される。
【００７１】
ＤＳＲＣ車載器１は、この確認応答コマンドとカードＩＤ（クレジットカード番号）を受信すると、受信したカードＩＤ（クレジットカード番号）と、クレジットカード用カード挿入口に挿入されているクレジットカードのクレジットカード番号の照合を行い、両クレジットカード番号が一致すると、確認応答コマンドを路側機２へ送信し、路側機２との通信を介してクレジットカードによる料金決済のための処理を実施する。
【００７２】
上記した構成によれば、路側機からカード挿入口に挿入された決済カードによる料金決済の実施確認コマンドを受信すると、携帯端末接続部を介して接続された携帯端末から当該携帯端末に登録されたカード識別情報を取得するとともに、カード挿入口に挿入されている決済カードのカード識別情報を取得し、携帯端末より取得したカード識別情報とカード挿入口に挿入されている決済カードのカード識別情報の一致判定を行い、カード識別情報が一致すると判定された場合、決済カードによる料金決済のための処理を実施し、カード識別情報が一致しないと判定された場合、決済カードによる料金決済のための処理が禁止されるので、不正な料金決済を防止することができる。
【００７３】
また、カード識別情報が一致しないと判定された場合、携帯端末接続部を介してカード識別情報が一致しない旨が携帯端末に通知されるので、携帯端末にカード識別情報が一致しない旨を表示させてユーザに通知することが可能である。
【００７４】
また、決済カードによる料金決済のための処理が禁止された場合、無線部を介して路側機へ決済カードによる料金決済のための処理が未実施である旨が通知されるので、路側機側では、路側機へ決済カードによる料金決済のための処理が未実施である旨を認識することができる。
【００７５】
また、カード挿入口に決済カードが挿入された状態であると判定され、かつ、携帯端末接続部を介して携帯端末と接続された状態であると判定された場合、携帯端末より取得したカード識別情報とカード挿入口に挿入されている決済カードのカード識別情報の一致判定が行われるので、精度良くカード識別情報の一致判定を行うことができる。
【００７６】
なお、本発明は上記実施形態に限定されるものではなく、本発明の趣旨に基づいて種々なる形態で実施することができる。
【００７７】
例えば、上記実施形態では、カード識別情報として、携帯端末３からＤＳＲＣ車載器１へ携帯端末３に登録されたクレジットカード番号を送信させ、このクレジットカード番号と、カード挿入口に挿入されているクレジットカードのクレジットカード番号の一致判定を行う構成を示したが、このような例に限定さえるものではなく、例えば、クレジットカード番号と有効期限情報を組み合わせて一致判定を行うようにしてもよい。また、クレジットカード以外のカードを決済カードとし、決済カードのカード番号の一致判定を行うように構成してもよい。
【００７８】
また、上記実施形態では、カード挿入口に決済カードが挿入された状態であると判定され、かつ、携帯端末接続部を介して携帯端末と接続された状態であると判定された場合、携帯端末より取得したカード識別情報とカード挿入口に挿入されている決済カードのカード識別情報の一致判定を行うようにしたが、カード識別情報の一致判定を行うタイミングは、このようなタイミングに限定されるものではなく、例えば、予め携帯端末より取得したカード識別情報をＤＳＲＣ車載器のメモリに記憶しておき、カード挿入口に決済カードが挿入された状態であると判定された場合に、携帯端末より取得したカード識別情報とカード挿入口に挿入されている決済カードのカード識別情報の一致判定を行うようにしてもよい。
【００７９】
また、上記実施形態では、ＤＳＲＣ車載器１と携帯端末３との間で、無線ＬＡＮを介して通信接続する構成を示したが、無線ＬＡＮ以外の無線通信で通信接続するように構成してもよく、また、ＤＳＲＣ車載器１と携帯端末３との間を有線接続するように構成してもよい。
【００８０】
また、上記実施形態では、ＥＴＣ車載器としての機能と、ＩＴＳスポットサービス提供装置としての機能を兼ね備えたＤＳＲＣ車載器について説明したが、ＥＴＣ車載器としての機能を備えることなく、ＩＴＳスポットサービス提供装置としてＤＳＲＣ車載器を構成するようにしてもよい。
【００８１】
また、上記実施形態では、ＥＴＣカード（ＥＴＣは登録商標）を挿入するためのカード挿入口とクレジットカードを挿入するためのカード挿入口を別々に設けるようにしたが、例えば、ＥＴＣカードとクレジットカードを１つのカードとして構成し、このカードをカード挿入口に挿入するように構成してもよい。
【００８２】
なお、上記実施形態における構成と特許請求の範囲の構成との対応関係について説明すると、外部機器接続部１２が携帯端末接続部に相当し、Ｓ１０４、Ｓ３０２、Ｓ３０６、Ｓ３０８がカード識別情報判定手段に相当し、Ｓ３１２が料金決済処理手段に相当し、Ｓ３１４が携帯端末通知手段に相当し、Ｓ３１６が路側機通知手段に相当し、Ｓ３００におけるクレジットカード挿入状態の判定が決済カード挿入判定手段に相当し、Ｓ３００における無線接続状態の判定が接続状態判定手段に相当する。
【符号の説明】
【００８３】
１    ＤＳＲＣ車載器
２    路側機
３    携帯端末
１０  無線部
１１  音声出力部
１２  外部機器接続部
１３  記憶部
１４  表示部
１５  入力操作部
１６  制御部
２０  無線部
２１  制御部
３０  表示部
３１  外部機器接続部
３２  入力操作部
【図１】
2013025512.tif 000003
【図２】
2013025512.tif 000004
【図３】
2013025512.tif 000005
【図４】
2013025512.tif 000006
【図５】
2013025512.tif 000007
【図６】
2013025512.tif 000008
【図７】
2013025512.tif 000009